(57)【特許請求の範囲】
【請求項１】
配管類が通される配索空間に配索プレートが、上記配管類の長さ方向と直交する方向を左右方向とした場合の左右方向に設けられ、この配索プレートには、配管類の束を結束固定する固定バンドが通されるバンド通し部が、左右方向の複数個所に、隣り合うもの同士間に配管類を通すための配索スペースが区画形成されるように間隔を置いて設けられ、上記配管類は、複数の組に分けられた状態で上記配索スペースに固定され、
上記バンド通し部として、上記配索プレートの左右両端部に横向きに開放する切欠状のバンド通し溝が設けられているとともに、左右方向の中間部における上記バンド通し溝と同じ前後方向位置に、周囲が閉じた貫通穴状のバンド通し穴が設けられていることを特徴とする建設機械の配索構造。
【請求項２】
左右方向の複数個所に設けられた上記バンド通し部が、前後方向に間隔を置いて複数個ずつ設けられていることを特徴とする請求項１記載の建設機械の配索構造。
【請求項３】
上記バンド通し穴は、左右方向に間隔を置いて複数個所に設けられていることを特徴とする請求項１又は２記載の建設機械の配索構造。
【請求項４】
左右隣り合う上記バンド通し穴の間には、前後一側方に開放するバンド通し部としてのバンド通しスリットが、上記バンド通し穴との間に上記配索スペースが形成される状態で設けられていることを特徴とする請求項３記載の建設機械の配索構造。
【請求項５】
上記バンド通し穴は、左右隣り合う二本の固定バンドを挿通可能な寸法をもって設けられていることを特徴とする請求項３または４記載の建設機械の配索構造。
【請求項６】
配管類が通される配索空間に配索プレートが、上記配管類の長さ方向と直交する方向を左右方向とした場合の左右方向に設けられ、この配索プレートには、配管類の束を結束固定する固定バンドが通されるバンド通し部が、左右方向の複数個所に、隣り合うもの同士間に配管類を通すための配索スペースが区画形成されるように間隔を置いて設けられ、上記配管類は、複数の組に分けられた状態で上記配索スペースに固定され、
上記配索プレートにおける左右方向に間隔を置いた複数個所には、上記バンド通し部として、周囲が閉じた貫通穴状のバンド通し穴が設けられ、
左右隣り合う上記バンド通し穴の間には、前後一側方に開放するバンド通し部としてのバンド通しスリットが、上記バンド通し穴との間に上記配索スペースが形成される状態で設けられていることを特徴とする建設機械の配索構造。
【発明の詳細な説明】
【技術分野】
【０００１】
本発明はショベル等の建設機械において、多数の配管類をバンド固定する配索構造に関するものである。
【背景技術】
【０００２】
従来、たとえばショベルにおいて、油圧配管やエアコンホース、電気配線等の配管類を固定バンド(周知の結束バンド)を用いて特定位置に固定する配索構造として、特許文献１に示されたものが公知である。
【０００３】
この公知技術においては、バンド通し穴を備えた金属板をアッパーフレーム等の固定部分に片持ち状態で溶接固定し、バンド通し穴に通した固定バンドで配管類を金属板に固定する構造がとられている。
【０００４】
公知技術では、一本の配管類を固定対象としており、この技術を多数本の配管類の固定に応用するとなると、全配管類を一つに束ねてバンド固定するか、あるいは一本〜数本ずつに分けて別々の金属板と固定バンドで固定することになる。
【先行技術文献】
【特許文献】
【０００５】
【特許文献１】実開昭６３−２４４１０号公報
【発明の概要】
【発明が解決しようとする課題】
【０００６】
しかし、上記応用構造によると、配管類の本数が多い場合に次の問題が生じる。
【０００７】
すなわち、前者の全配管類を一束として固定する一括固定構造では、束が大きくなり過ぎて限られたスペースに収まらなくなったり、固定力が不十分となって、とくに内側の配管類がずれ動いたり傾いたりするおそれがある。
【０００８】
また、配管類を系統や種類等に関係なくひとまとめで固定するため、系統や種類ごとに分けて固定するのが望ましい状況ではかえって配索作業の能率が悪くなり、配索後のメンテナンスにも不利となる。
【０００９】
一方、後者の分割・個別固定構造によると、多数の金属板を別々に設置しなければならないため、配索空間の利用効率と固定作業の能率が悪くなる上に、部品点数が多くなってコスト高となる。
【００１０】
そこで本発明は、多数の配管類を整然と、かつ、限られたスペースに効率良く、しかも強固に固定できるとともに、配索作業及びその後のメンテナンス作業の能率を良くすることができる建設機械の配索構造を提供するものである。
【課題を解決するための手段】
【００１１】
上記課題を解決する手段として、本発明においては、配管類が通される配索空間に配索プレートが、上記配管類の長さ方向と直交する方向を左右方向とした場合の左右方向に設けられ、この配索プレートには、配管類の束を結束固定する固定バンドが通されるバンド通し部が、左右方向の複数個所に、隣り合うもの同士間に配管類を通すための配索スペースが区画形成されるように間隔を置いて設けられ、上記配管類は、複数の組に分けられた状態で上記配索スペースに固定され、上記バンド通し部として、上記配索プレートの左右両端部に横向きに開放する切欠状のバンド通し溝が設けられているとともに、左右方向の中間部における上記バンド通し溝と同じ前後方向位置に、周囲が閉じた貫通穴状のバンド通し穴が設けられているものである。
【００１２】
この構成によれば、配管類を複数の組に分けて各配索スペースに通し、配索プレートに固定するため、多数の配管類を整然と、かつ、限られたスペースに効率良く配索し、しかも強固に固定することができる。
【００１３】
また、配管類を系統や種類ごとに分けて固定できるため、配索作業及び配索後のメンテナンスの能率が良いものとなる。
また、本発明では、上記バンド通し部として、上記配索プレートの左右両端部に横向きに開放する切欠状のバンド通し溝が設けられているとともに、左右方向の中間部における上記バンド通し溝と同じ前後方向位置に、周囲が閉じた貫通穴状のバンド通し穴が設けられている。
本発明によれば、溝と穴の組み合わせにより、固定バンドを前後方向に位置固定でき、しかも一方が溝のためバンド通し作業が簡単となる。
【００１４】
この場合、左右方向の複数個所に設けられた上記バンド通し部が、前後方向に間隔を置いて複数個ずつ設けられているのが望ましい(請求項２)。
【００１５】
こうすれば、配管類を前後複数個所でバンド固定することで、配管類の前後位置と方向を定めることができるため、一層、傾きやずれ動きが生じない、一層強固な固定状態を得ることができる。
【００１６】
この場合、上記バンド通し穴は、左右方向に間隔を置いて複数個所に設けられているのが望ましい(請求項３)。
【００１７】
こうすれば、配索スペースが、左右隣り合うバンド通し穴間を含めて左右方向少なくとも三つ形成されるため、配管類をより細かく組分けして固定することができる。
【００１８】
また、配管類の中間の組は両隣の組に挟まれて拘束されるため、一本の固定バンドのみで固定する構成をとっても、正しい方向性をもって確実に固定することができる。このため、配管類の固定作業が簡単となる。
【００１９】
一方、左右隣り合う上記バンド通し穴の間には、前後一側方に開放するバンド通し部としてのバンド通しスリットが、上記バンド通し穴との間に上記配索スペースが形成される状態で設けられているのが望ましい(請求項４)。
【００２０】
こうすれば、中間組の配管類は隣の組と密接するため固定バンドを通しにくくなるが、片側のバンド通し部をスリットとすることでバンド通し作業が楽になる。
【００２１】
また、上記バンド通し穴は、左右隣り合う二本の固定バンドを挿通可能な寸法をもって設けられているのが望ましい(請求項６)。
【００２２】
こうすれば、一つのバンド通し穴を隣り合う二本の固定バンドを共用できるため、固定作業がさらに簡単となるとともに、配索プレートの左右方向長さを短縮することができる。
また、本発明は、配管類が通される配索空間に配索プレートが、上記配管類の長さ方向と直交する方向を左右方向とした場合の左右方向に設けられ、この配索プレートには、配管類の束を結束固定する固定バンドが通されるバンド通し部が、左右方向の複数個所に、隣り合うもの同士間に配管類を通すための配索スペースが区画形成されるように間隔を置いて設けられ、上記配管類は、複数の組に分けられた状態で上記配索スペースに固定され、上記配索プレートにおける左右方向に間隔を置いた複数個所には、上記バンド通し部として、周囲が閉じた貫通穴状のバンド通し穴が設けられ、左右隣り合う上記バンド通し穴の間には、前後一側方に開放するバンド通し部としてのバンド通しスリットが、上記バンド通し穴との間に上記配索スペースが形成される状態で設けられていることを特徴とする建設機械の配索構造を提供する。
【発明の効果】
【００２３】
本発明によると、多数の配管類を整然と、かつ、限られたスペースに効率良く、しかも強固に固定できるとともに、配索作業及びその後のメンテナンス作業の能率を良くすることができる。
【図面の簡単な説明】
【００２４】
【図１】本発明の適用対象となるショベルと実施形態に係る配索構造を示す概略側面図である。
【図２】同平面図である。
【図３】図２の一部であるキャビンデッキ後部の拡大平面図である。
【図４】キャビンデッキを構成する後横梁の斜視図である。
【図５】図３のＶ−Ｖ線拡大断面図である。
【図６】配管類を通した状態の図５相当図である。
【図７】図４の一部拡大図である。
【図８】配管類を通した状態の図７相当図である。
【図９】図３の一部拡大図である。
【図１０】本発明の他の実施形態を示す図７相当図である。
【図１１】本発明のさらに別の実施形態を示す図７相当図である。
【発明を実施するための形態】
【００２５】
実施形態はショベルを適用対象としている。
【００２６】
基本実施形態(図１〜図９参照)
ショベルは、図１に示すようにクローラ式の下部走行体１上に上部旋回体２が地面に対して鉛直となる軸のまわりに旋回自在に搭載され、この上部旋回体２のベースとなるアッパーフレーム３上に、キャビン４等の各種設備、機器が搭載されるとともに、同フレーム前部に作業アタッチメント(図示省略)が取付けられて構成される。
【００２７】
この明細書においてはキャビン４の位置を左側前部とし、これを基準に「左右」及び「前後」の方向性をいうものとする。
【００２８】
また、図及び説明の簡潔化のために本発明と直接関係のないアッパーフレーム各部の細かな図示、説明を省略する。
【００２９】
図２に示すようにアッパーフレーム３は底板５を備え、車幅方向の中間部においてこの底板５上に、補強部材とアタッチメント取付部材を兼ねる左右一対の縦板６，７が前後方向に設けられている。
【００３０】
また、左縦板６の左外側にキャビンデッキ８が取付けられ、このキャビンデッキ８上に、図示しない減衰装置を介してキャビン４が搭載される。
【００３１】
キャビンデッキ８は、前後両端の横梁９，１０を含む梁材を縦横に組み合わせた大略四角枠状に形成されている。以下、後端の横梁１０を「後横梁」という。
【００３２】
キャビン下、すなわち、キャビン４の床板であるフロアプレート１１とキャビンデッキ８との間には配索空間Ａが形成され、キャビン４内の操作装置(リモコン弁装置)１２と図示しないコントロールバルブ等とを結ぶ多数本の油圧配管や電気配線(以下、「配管類」という)１３が、フロアプレート１１の配索穴１４から配索空間Ａに導出され、同空間Ａを後向きに通される。図１中、１５は運転席である。
【００３３】
配管類１３の配索構造を図３〜図９によって詳述する。
【００３４】
後横梁１０は、図示しない減衰装置を介してキャビン後部を支持する断面逆Ｕ字形の後横梁本体１６と、この後横梁本体１６の後部に一体に設けられた延長部１７とから成っている。
【００３５】
延長部１７は、後横梁本体１６の上面壁と面一状態で後向き水平に設けられ、キャビン後方でアッパーフレーム上に設置されるタンク等の機器類１８の前部がこの延長部１７によって支持される。
【００３６】
図３〜図６中、１９は後横梁本体１６の後面と延長部１７の下面とに跨って取付けられた補強壁である。
【００３７】
また、後横梁１０の上面後部、つまり、延長部１７の左右方向の中央部に切欠２０と、ほぼ長方形の配索プレート２１が設けられている。
【００３８】
切欠２０は、上下方向に貫通しかつ後向きに開放した状態で設けられ、この切欠２０の前縁部に配索プレート２１の前端部が溶接等により固定されることにより、配索プレート２１が切欠２０の幅内で左右方向(配管類１３の長さ方向と直交する方向)に、かつ、後下がりの傾斜状態で取付けられている。
【００３９】
この配索プレート２１の後端部は、配管類１３の損傷の原因となるエッジが形成されないように下向きに折り曲げ形成されている。図７中の２１ａはこの折り曲げ部である。
【００４０】
配索プレート２１には、配管類１３を同プレート２１の上面に沿った後下がりの傾斜状態で固定する配管類固定手段としての複数かつ複数種類のバンド通し部が設けられている。
【００４１】
図７〜図９によって詳述する。
【００４２】
配索プレート２１の左右両端部において、上下方向に貫通しかつ横向きに開放する切欠状のバンド通し溝２２，２２が前後方向に間隔を置いた二個所に設けられている。
【００４３】
また、配索プレート２１の左右方向中央部における折り曲げ部２１ａを含めた後部に、上下方向に貫通しかつ後向きに開放する細長いバンド通しスリット２３が設けられている。
【００４４】
さらに、配索プレート２１の左右方向の中間部二個所であって、左右両側のバンド通し溝２２，２２とバンド通しスリット２３の間に丸穴状のバンド通し穴２４が、バンド通し溝２２，２２と同じ前後間隔を置いて設けられている。
【００４５】
このバンド通し溝、スリット、穴２２〜２４の配置により、図９に示すように配索プレート２１の上面スペースが、基本的に、左側バンド通し溝２２と左側バンド通し穴２４の間の左端スペースＳ１、左側バンド通し穴２４とバンド通しスリット２３の間の左側中間スペースＳ２、バンド通しスリット２３と右側バンド通し穴２４の間の右側中間スペースＳ３、右側バンド通し穴２４と右側バンド通し溝２２の間の右端スペースＳ４の四つに分けられる。
【００４６】
配管類１３は、複数本ずつの四つの組(束)に分けられ、図６，８に示すように各組の束が各スペースＳ１〜Ｓ４に、配索プレート２１の上面に沿って後下がりに傾斜し、機器類１８の下方に潜り込む状態で通される。
【００４７】
いいかえれば、この機器類下方への潜り込み状態が得られるように、後横梁１０と機器類１８の前後位置関係、配索プレート２１の傾斜角度、前後長さ等が設定されている。
【００４８】
そして、この状態で配管類１３の各組の束が固定バンド２５によって配索プレート２１の上面に結束固定される。
【００４９】
固定バンド２５は、左端、右端両スペースＳ１，Ｓ４では前後二個所においてバンド通し溝２２とバンド通し穴２４に、中間スペースＳ３，Ｓ４では一個所においてバンド通しスリット２３と後側のバンド通し穴２４にそれぞれ跨って挿通され、配管類束に巻き付けた状態で締め込まれる。
【００５０】
この場合、配管類１３は、種類や系統、太さ等の区分に応じて組分けしてもよいし、とくに区分がない場合は均等割りで組分けしてもよい。
【００５１】
また、後側のバンド通し穴２４は、左右両端と中間の両固定バンド２５，２５に共用される。いいかえれば、共用できるようにその直径寸法が設定されている。
【００５２】
この配索構造によると、次の効果を得ることができる。
【００５３】
(Ｉ)   配管類１３を組分けして別スペースＳ１〜Ｓ４に通し、配索プレート２１に固定するため、多数の配管類１３を整然と、かつ、上下及び左右方向の寸法が限られた配索空間Ａに効率良く配索することができる。
【００５４】
この場合、一括固定構造と比較して、固定バンド２５の締め付け力が各組の束全体に十分行き渡るため、内側のものが前後方向にずれ動いたり左右方向に傾いたりするおそれがなく、強固に固定することができる。
【００５５】
また、配管類１３を系統や種類ごとに分けて固定できるため、配索作業及び配索後のメンテナンスの能率が良いものとなる。
【００５６】
とくに、実施形態では配索プレート２１の上面スペースを四つ(Ｓ１〜Ｓ４)に分けるため、配管類１３をより細かく組分けできることでこの点の効果がより高いものとなる。
【００５７】
(ＩＩ)  バンド通し溝２２及びバンド通し穴２４をそれぞれ前後二個所に設け、配管類１３を前後二個所でバンド固定するため、配管類１３の前後位置と方向を定めることができる。このため、一層強固な固定状態を得ることができる。
【００５８】
(ＩＩＩ)  溝(バンド通し溝２２)と穴(バンド通し穴２４)の組み合わせにより、固定バンド２５を前後方向に位置固定でき、しかも一方が溝のためバンド通し作業が簡単となる。
【００５９】
(ＩＶ)   配管類１３の中間の組は両隣の組に挟まれて拘束されるため、実施形態のように一本の固定バンド２５のみで固定する構成をとっても、正しい方向性をもって確実に固定することができる。このため、配管類１３の固定作業がさらに簡単となる。
【００６０】
(Ｖ)  左右隣り合うバンド通し穴２４，２４の間に、後方に開放するバンド通しスリット２３を設けているため、両隣の組と密接する中間組の配管類１３についてもバンド通し作業が楽になる。
【００６１】
(ＶＩ)  バンド通し穴２４を、左右隣り合う二本の固定バンド２５，２５に共用できるため、固定作業がさらに簡単となるとともに、配索プレート２１の左右方向長さを短縮することができる。
【００６２】
他の実施形態
(１)  図１０，１１に示すように、配索プレート２１に前後方向に長いスリット２６を設け、このスリット２６の前後両側にバンド通し穴２４，２４を開口形成してもよい。
【００６３】
この場合、スリット２６は、図１０に示すように前後両側が閉じたものとして形成してもよい、図１１に示すように、バンド通しスリット２３と同様に後方が開放したものとして形成してもよい。
【００６４】
これらの構成によれば、固定バンド２５を通す作業の融通性が高くなるため、配管類固定作業の能率を高めることができる。
【００６５】
(２)  配索空間が左右方向に十分長い場合、バンド通し穴２４を左右三個所以上に設けてもよい。
【００６６】
(３)  すべてのバンド通し部を丸穴、または前後に長い長穴として形成してもよい。また、バンド通し穴を左右方向に一定の小間隔を置いて多数設け、配管類束の結束固定に適した位置のものを選んで固定バンド２５を通すように構成してもよい。
【００６７】
(４)   配管類と配線を分けて固定したい場合は、左右の間隔が大小異なる状態でバンド通し部を設け、小間隔のスペースに配線を固定する構成をとってもよい。
【００６８】
(５)  上記実施形態では配管類１３を配索プレート２１の上面に固定する構成としたが、同プレート２１の下面に固定する構成としてもよい。
【００６９】
(６)   本発明はショベルに限らず、設定された配索空間に配管類を通す構造をとる他の建設機械にも上記同様に適用することができる。
【符号の説明】
【００７０】
１０  配索プレートが設けられた後横梁
１１  フロアプレート
Ａ  配索空間
１３  配管類
２１  配索プレート
２２  バンド通し部としてのバンド通し溝
２３  同、バンド通しスリット
２４  同、バンド通し穴
Ｓ１〜Ｓ４  配索スペース
２５  固定バンド
【図１】
0005967111.tif 000002
【図２】
0005967111.tif 000003
【図３】
0005967111.tif 000004
【図４】
0005967111.tif 000005
【図５】
0005967111.tif 000006
【図６】
0005967111.tif 000007
【図７】
0005967111.tif 000008
【図８】
0005967111.tif 000009
【図９】
0005967111.tif 000010
【図１０】
0005967111.tif 000011
【図１１】
0005967111.tif 000012